(57)【要約】【課題】高デューティで印刷した直後の横罫線印字で、印字品位が低下する場合がある。【解決手段】発泡室は略四角柱の形状を有し、熱エネルギ発生素子は発泡室の略中央に配置され、インク流路の中心線が、発泡室の中心線に対して、ノズル配列方向にオフセットする。【選択図】図３
2013158937.tif 000002
【特許請求の範囲】
【請求項１】
インクを吐出する複数の吐出口と、前記インクが吐出される第１の方向と、前記複数の吐出口が配列された第２の方向と、前記複数の吐出口が設けられたノズルプレートと、該ノズルプレートに水平で前記第２の方向と垂直な第３の方向と、前記吐出口のそれぞれに対応して設けられインクを吐出するための熱エネルギ発生素子が前記吐出口に対向するように設けられた複数の発泡室と、該複数の発泡室に供給されるインクを貯留する共通液室と、該共通液室に連通し前記発泡室のそれぞれにインクを供給するための複数のインク流路と、前記共通液室と前記インク流路との間に設けられた流体抵抗素子と、を有するインクジェット記録ヘッドにおいて
前記発泡室は四角柱の形状を有し、
前記熱エネルギ発生素子は前記第２の方向に対し前記発泡室の中央に配置され、
前記インク流路の前記第３の方向に平行な中心線は、前記発泡室の前記第３の方向に平行な中心線に対して、前記第２の方向にオフセットされていることを特徴とするインクジェット記録ヘッド。
【請求項２】
インクを吐出する複数の吐出口と、前記インクが吐出される第１の方向と、前記複数の吐出口が配列された第２の方向と、前記複数の吐出口が設けられたノズルプレートと、該ノズルプレートに水平で前記第２の方向と垂直な第３の方向と、前記吐出口のそれぞれに対応して設けられインクを吐出するための熱エネルギ発生素子が前記吐出口に対向するように設けられた複数の発泡室と、該複数の発泡室に供給されるインクを貯留する共通液室と、該共通液室に連通し前記発泡室のそれぞれにインクを供給するための複数のインク流路と、前記共通液室と前記インク流路との間に設けられた流体抵抗素子と、を有するインクジェット記録ヘッドにおいて
前記発泡室は四角柱の形状を有し、
前記熱エネルギ発生素子は前記発泡室の中央に配置され、
前記インク流路の前記第３の方向に平行な中心線は、前記発泡室の前記第３の方向に平行な中心線に対して、前記第２の方向にオフセットされていることを特徴とするインクジェット記録ヘッド。
【請求項３】
前記流体抵抗素子は、前記インク流路の第３の方向に平行な中心線の延長線上に設けられていることを特徴とする請求項１又は請求項２に記載のインクジェット記録ヘッド。
【請求項４】
前記吐出口の前記第２の方向に平行な中心線は、前記熱エネルギ発生素子の第２の方向に平行な中心線に対して、前記インク流路と前記発泡室の合流点から離れるよう前記第３の方向にオフセットされていることを特徴とする請求項１乃至請求項３の何れか１項に記載のインクジェット記録ヘッド。
【請求項５】
前記吐出口と前記熱エネルギ発生素子との前記第１の方向の距離は、３０μｍ以上、５０μｍ以下であることを特徴とする請求項１乃至請求項４の何れか１項に記載のインクジェット記録ヘッド。
【請求項６】
前記インク流路および前記発泡室の前記第１の方向の高さは、１２μｍ以上、１６μｍ以下であることを特徴とする請求項１乃至請求項５の何れか１項に記載のインクジェット記録ヘッド。
【発明の詳細な説明】
【技術分野】
【０００１】
本発明は、インクジェット記録ヘッド、インクジェット記録カートリッジに関する。
【背景技術】
【０００２】
近年、デジタルカメラ等の高解像度化が進むに伴って、写真を高記録品位に記録可能な記録装置が普及しつつある。中でも記録媒体に向けてインクを吐出することで記録を行うインクジェット記録装置が普及しており、これに用いられるインクジェット記録ヘッドは、種々の方式によりインク滴を吐出するものが知られている。
【０００３】
インクを吐出するエネルギ源として熱を利用し、急激に沸騰（発泡）させてインクを飛ばすために電気−熱変換素子（ヒータ）を有するインクジェット記録ヘッドは、一般的に、シリコン基板に多数パターニングされたヒータと、これに１対１で対応する発泡室と、発泡室のヒータと対向する位置に設けられたノズルと、発泡室に連通して共通液室からのインクを導くインク流路と、を有する記録素子、記録素子とインクジェット記録装置との信号や電力の送受信を行う電気配線基板、インクタンク内に設けられた負圧発生体が保持するインクをフィルタを経由して共通液室に供給するインク供給系、これらすべてを内蔵あるいは保持するための筺体などから成り立っている。
【０００４】
このようなインクジェット記録ヘッドは、高密度のマルチノズル化を比較的容易に実現でき、高解像度・高画質、あるいは高速な記録を可能とするものである。記録の高品位化の一方で、従来のビジネス文書やＷｅｂページを記録する要求も無くなったわけではなく、むしろ画像および文字の高記録品位化と記録速度の高速度化の両立が求められている。
【０００５】
この対応策として、文字を記録する際には吐出インク滴が大きく、濃度の濃い顔料ブラックインク（Ｂｋ）で記録を行い、一方Ｗｅｂページを記録する際には顔料ブラックインク（Ｂｋ）とカラーインクのシアン（Ｃ）、マゼンタ（Ｍ）、イエロー（Ｙ）を併用する。そして、写真の記録を行う場合には、カラーインクのみを使用して記録を行うという記録方法を用いた記録装置が市販されている。
【０００６】
近年のインクジェット記録装置は高速度化と高画質記録を実現するために、特にカラーインクを吐出するインクジェット記録ヘッドでは、ノズルの配列密度が６００ＤＰＩ、吐出するインクの量は数ｐｌとなっている。そして、この数ｐｌのインク滴を吐出するノズルの口径は１０μｍ程度となっている。
【０００７】
上記技術背景により、当初、発明者らはカラーインクを吐出するインクジェット記録ヘッドの発泡室とノズル、インク流路の位置関係を特許文献１の第１０図のように設計した。
【０００８】
しかしながらこの構成では、通常の使用ではほとんどあり得ないパターンではあるのだが、高デューティで印刷した直後に横罫線を印字した場合、印字品位の低下がみられた。これは高デューティで印刷した直後はインクジェット記録ヘッドが昇温し、そのため発泡が大きくなりすぎてインク流路から発泡室へのインクの充填時間が長くなり、インクが充填される前に次の発泡が起こっているためではないかと考えた。このため、インク流路の高さを高くしたり、インク流路の幅を広げたりして発泡室へのインクの充填時間を短くしてみたが、良化はするものの、同様の傾向を完全に打ち消すには至らなかった。
【０００９】
図９は、上記インクジェット記録ヘッドのインク吐出の過程を示した図面であり、同図において、６８はヒータ６２に所定の電圧の所定のパルス信号を印加して生じる膜沸騰による発泡（気泡）である。同図（ａ）〜（ｄ）は、膜沸騰の最大発泡時点（ａ）からの時間経過ごとの消泡までの過程を示している。同図（ａ）〜（ｄ）各の右側に示したのは、それぞれの時点におけるＣＣ断面を示している。ここでヒータ６２は発泡室６５の中央に配されており、またインク流路６６の中心は発泡室６５およびヒータ６２の中心に配置されている。また、フィルタ６４はインク流路６６がゴミなどによって閉塞されるのを防ぐ機能も有するが、その形状はまた、インク流路６６の幅と高さと共に、発泡後に発泡室６５へのインク充填時間を制御するものであり、ここではインク流路６６の中心線に左右対称に２つ配置されている。
【００１０】
図９（ａ）は、最大発泡時点の発泡の様子を示しており、この時、ノズル６７内のインクが吐出インク６９としてノズル６７から盛り上がる。同図（ｂ）は最大発泡の気泡６８が消泡に転じ、インク流路６６に流れ込んだインクが発泡室６５に流れ込もうとしている時点の様子であり、この時、吐出インク６９はノズル内のインクから離れようと表面張力により細くなっており、またノズル内のインクの外気との界面（メニスカス）７０は消泡に伴い発泡室６５の方に引き込まれる。同図（ｃ）はさらに消泡が進んで発泡室６５にインクが流れ込んだ時点の様子であり、この時、インクは発泡室６５の中央から発泡６８を左右対称に分断するように満たしてゆくが、メニスカス７０の発泡室６５への引き込まれも最大となり、発泡室奥側に残っている気泡６８と非常に近接し、場合によっては気泡６８はメニスカス７０に連通して大気圧となってしまう。同図（ｄ）はメニスカス７０がノズル６７に戻ろうとしている、一連の吐出サイクルの最終時点の様子を示しているが、気泡６８が大気圧となってしまっているため、吐出サイクルの最後になっても気泡６８が消えることはない。このため、次の吐出イベントの発泡パワーを弱める「ダンパ」として作用し、吐出インク６９の吐出速度や体積、方向の乱れとなってしまう。この傾向は、インクが高温となってその粘度が低下するほど顕著になる。
【先行技術文献】
【特許文献】
【００１１】
【特許文献１】特開２００７−２８３５０１号公報
【特許文献２】特許第４５４６００６号明細書
【特許文献３】特開平８−３０９９８６号公報
【発明の概要】
【発明が解決しようとする課題】
【００１２】
本発明の目的は、上記課題を解決するためになされたものであり、高デューティで印刷した直後の横罫線印字で、印字品位が低下するのを防ぐためのものである。
【課題を解決するための手段】
【００１３】
上記目的を達成する本発明にかかわるインクジェット記録ヘッドは、インクを吐出する複数の吐出口（ノズル）と、インクが吐出される第１の方向と、複数のノズルが配列された第２の方向と、複数のノズルが設けられたノズルプレートと、ノズルプレートに水平で第２の方向と垂直な第３の方向と、ノズルのそれぞれに対応して設けられインクを吐出するための熱エネルギ発生素子がノズルに対向するように設けられた複数の発泡室と、複数の発泡室に供給されるインクを貯留する共通液室と、共通液室に連通し発泡室のそれぞれにインクを供給するための複数のインク流路と、共通液室とインク流路との間に設けられた流体抵抗素子と、を有するインクジェット記録ヘッドにおいて、発泡室は略四角柱の形状を有し、熱エネルギ発生素子は第２の方向に対し発泡室の略中央に配置され、インク流路の第３の方向に平行な中心線は、発泡室の第３の方向に平行な中心線に対して、第２の方向にオフセットされていることを特徴とする。
【００１４】
熱エネルギ発生素子は発泡室の略中央に配置されていてもよい。
【００１５】
また、流体抵抗素子は、インク流路の第３の方向に平行な中心線の延長線上に設けられていても良い。
【００１６】
さらに、ノズルの第２の方向に平行な中心線は、熱エネルギ発生素子の第２の方向に平行な中心線に対して、インク流路と発泡室の合流点から離れるよう第３の方向にオフセットされている方がよりマージンが向上する。
【００１７】
加えて、ノズルと熱エネルギ発生素子との第１の方向の距離は３０μｍ以上、５０μｍ以下であること、インク流路および発泡室の第１の方向の高さは１２μｍ以上、３６μｍ以下であることが好ましい。
【００１８】
発明者らは、本発明と形態が似ている先行技術について調査した。
【００１９】
特許文献２は、キャビテーションによるヒータへのダメージを軽減する方法として極めて優れている。特許文献２では、ヒータが生成した気泡がヒータ上の同じ位置で消泡して、その衝撃でヒータに機械的なダメージを与えるのを防ぐために、ほぼ円柱形の発泡室と、発泡室に対して中心線がオフセットされたインク流路とを有する技術が開示されている。インク流路をオフセットすることにより発泡室に流れ込んだインクに回転成分を生じさせ、消泡位置をばらつかせることにより、ヒータが受けるダメージを軽減している。
【００２０】
しかしながら、特許文献２が開示する技術は、四角形のヒータと円柱形の発泡室を前提としているため、６００ＤＰＩでノズルを横並びさせようとしても配列させるのは困難であり、３００ＤＰＩに横並びさせたノズル列を２列用意して、擬似的に６００ＤＰＩを実現しなければならない。
【００２１】
これに対して本発明では、発泡室が略四角柱の形状を有しているため、６００ＤＰＩでノズルを横並びさせることが可能である。
【００２２】
特許文献３では、高速印刷を実現するために発泡室へのインクの充填時間を短くしようとするときの弊害である、ノズルからのインクのあふれを防止する技術が開示されている。インク流路をやはりオフセットすることにより、発泡室に充填されるインクの流れを一旦発泡室の奥の壁に当ててそれからノズルに充填させることにより、ノズルからのインクのあふれを防いでいる。
【００２３】
しかしながら、特許文献２が開示する技術は、発泡室に充填されるインクの流れを一旦発泡室の奥の壁に当てるがゆえに、発泡室に対してヒータとノズルも、ノズル配列方向にオフセットされていなくてはならない。このため、吐出の際に最も大きなインク滴である「主滴」を、後から追いかける小さな液滴「サテライト」の吐出方向は主滴と異なってしまい、結局印字品位の低下につながってしまう。
【００２４】
これに対し、本発明では、発泡室に対しヒータが少なくとも左右対称に配置されており、特許文献３で開示される技術で心配される印字品位の低下はない。
【発明の効果】
【００２５】
以上の構成によれば、高デューティで印刷した直後の横罫線印字で、印字品位が低下するのを防ぐことが可能となる。
【００２６】
また、自動印字検査工程でも検査パターンを印刷する前にベタ印字を行っているが、ここにも本発明の良い影響があり、歩留りの向上が見られた。
【図面の簡単な説明】
【００２７】
【図１】インクジェット記録ヘッド（カートリッジ）の斜視図；（ａ）ブラックカートリッジ、（ｂ）カラーカートリッジ、の斜視図
【図２】ブラックカートリッジを例にとり、インクジェット記録ヘッド（カートリッジ）の製造方法を示した斜視図；（ａ）記録素子側から、（ｂ）タンク蓋側からの斜視図
【図３】カラーカートリッジの３色のインクを吐出するノズル列のうちの１色の共通液室の両側に配された２列のノズル列を拡大した図面
【図４】図３のＡＡ断面図
【図５】本発明の実施例１にかかわる図面
【図６】本発明の実施例１にかかわる、発泡と吐出の様子を示した模式図
【図７】本発明の実施例２にかかわる図面
【図８】本発明の実施例３にかかわる図面
【図９】従来のノズルの、発泡と吐出の様子を示した模式図
【発明を実施するための形態】
【００２８】
図１に示したのは、本発明にかかわるインクジェット記録ヘッド（カートリッジ）の一例であり、（ａ）が顔料ブラックインクを吐出するブラックカートリッジ、（ｂ）がシアン、マゼンタ、イエローの３色のインクを吐出するカラーカートリッジの斜視図である。
【００２９】
図１（ａ）に示すように、ブラックカートリッジ１００１は、エネルギ発生素子としてヒータを用いこれを発熱させることによりＢｋインクを加熱し膜沸騰の作用によりインク滴を吐出させる記録素子１００８と、記録素子１００８にインクジェットプリンタ（不図示）からの駆動信号等を印加する電気配線基板１００２と、記録素子１００８と電気配線基板１００２との電気接続部を絶縁・保護する電気接続部封止部１００７と、インクを保持して負圧を発生させる負圧発生機構を持ち記録素子１００８にインクを供給するインク供給部材としてのインクタンク１００６と、インクの漏れを防止するタンク蓋１０１０と、から構成されている。インクタンク１００６には、ブラックカートリッジ１００１をインクジェットプリンタ本体に装着する時のガイド１００３、突き当て基準１００４と１００５、もう一方向の基準（不図示）が設けられている。
【００３０】
図１（ｂ）は、カラーカートリッジ１１０１の主要部を示す斜視図である。図１（ｂ）に示すように、カラーカートリッジ１１０１は、ヒータによってインクを加熱し膜沸騰の作用によりインク滴を吐出させる記録素子１１０８と、記録素子１１０８にインクジェットプリンタ（不図示）からの駆動信号等を印加する電気配線基板１１０２と、記録素子１１０８と電気配線基板１１０２との電気接続部を絶縁・保護する電気接続部封止部１１０７と、インクを保持して負圧を発生させる負圧発生機構を持ち記録素子１１０８にインクを供給するインク供給部材としてのインクタンク１１０６と、インクの漏れを防止するタンク蓋１１１０と、から構成されている。インクタンク１１０６には、カラーカートリッジ１１０１をインクジェットプリンタ本体に装着する時のガイド１１０３、突き当て基準１１０４と１１０５、もう一方向の基準（不図示）が設けられている。
【００３１】
ここで、カートリッジの製造方法を、ブラックカートリッジ１００１を例に説明する。
【００３２】
図２（ａ）および（ｂ）は、ブラックカートリッジを構成するパーツの斜視図であり、（ａ）は記録素子１００８側から、（ｂ）はタンク蓋１０１０側から見た図面である。まず、インクタンク１００６の所定の位置にインクろ過フィルタ１０４０を溶着し、この際出たゴミなどをあらかじめ洗浄・乾燥しておく。次に記録素子基板１００８と電気配線基板１００２とを電気接続部にて接続し一体となった部品を、あらかじめ接合位置に接着剤を塗布しておいたインクタンク１００６の所定の位置に精密に貼付ける。記録素子基板１００８が接合される部位１０１１は、電気配線基板１００２が接合される部位よりも低くなっている。次に電気接続部を絶縁・保護する電気接続部封止部１００７を塗布する。電気接続部以外の記録素子１００８の周囲と電気配線基板１００２に設けられたデバイスホール１０１３との間も、封止剤で封止したほうがより好ましい。次に接着剤と封止剤とを固めるために、オーブンに入れて熱キュアを行なう。充分に冷えたら、電気配線基板１００２を折り曲げ、インクタンク１００６の側面に突き出たピン１０２０で熱カシメを行ない、インクジェットプリンタ本体と電気信号を送受信するための端子１００９が配置された面を、インクタンク１００６側面に固定する。次に負圧発生機構１０１４をインクタンク１００６に挿入し、これにインクを所定量注入した後、タンク蓋１０１０を溶着する。タンク蓋１０１０には、大気連通口１０１７とこれに連通する細溝１０１８、インクジェットプリンタ本体に装着する時に荷重をかける部位１０１６が一体で形成されている。これにラベル１０１９を貼り付け、インクジェット記録ヘッドが完成する。
【００３３】
図３は、本発明を適用したカラーカートリッジの記録素子１１０８のノズルが形成されたフェイス面１９を拡大した図面である。本発明では、３色のインクをインク流路に供給する記録素子１１０８に設けられた３つの共通液室の長手方向の片側に５ｐｌを吐出可能なノズル列を、長手方向の対向する片側に２ｐｌが吐出可能なノズル列を、配置した。図３は３色のうちの１色の共通液室１３の一部を拡大した図面であり、同図において１７は５ｐｌを吐出可能なノズルであり、１８は２ｐｌを吐出可能なノズルである。
【００３４】
図４は、図３のＡＡ断面を示した図面であり、図３と同じ符号の部位は同じものを表わしている。同図において、１２は５ｐｌ吐出用のヒータ、１５はヒータ１２が配置された５ｐｌ吐出用の発泡室、１４は５ｐｌ吐出の発泡室にゴミが入り込むのを防ぐフィルタ、２１は２ｐｌ吐出用のヒータ、２２はヒータ１２が配置された２ｐｌ吐出用の発泡室、２３は２ｐｌ吐出の発泡室にゴミが入り込むのを防ぐフィルタ、２０は共通液室１３に溜まる気泡がインクの流れを塞がないよう設けられた梁、である。また、本発明では、フェイス面１９のヒータ１２および２１からの高さは５０〜３０μｍ、発泡室１５および２２のヒータ１２および２１からの高さを１２〜１６μｍとした。
【実施例１】
【００３５】
本実施例では、吐出量の大きい５ｐｌを吐出するノズルに連通する発泡室と、これに共通液室からのインクを供給するインク流路、フィルタに本発明を適用している。
【００３６】
図５は、図３  Ｂ部を拡大した図面であり、図３および図４と同じ符号の部位は同じものを表わしている。同図において、発泡室１５は６００ＤＰＩで配置できるように略四角柱の形状とし、インク流路１６の中心線は発泡室１５ならびにヒータ１２の中心線からノズル配列方向に約６．５μｍオフセットした。フィルタ１４の形状はまた、インク流路１６の幅と高さと共に、発泡後に発泡室１５へのインク充填時間を制御するものであり、最適なインク充填時間になるよう、インク流路１６の高さと幅と、フィルタ１４の直径と本数とを調整した。本発明においてはインク流路１６の中心線上に１つを設けた。
【００３７】
図６を用いて、図５に示した本発明の実施例１の有効性を説明する。同図において、図３〜５同じ符号の部位は同じものを表わしており、２８はヒータ１２に所定の電圧の所定のパルス信号を印加して生じる膜沸騰による発泡（気泡）である。同図（ａ）〜（ｄ）は、膜沸騰の最大発泡時点（ａ）からの時間経過ごとの消泡までの過程を示している。同図（ａ）〜（ｄ）各の右側に示したのは、それぞれの時点におけるＤＤ断面を示している。
【００３８】
図６（ａ）は、最大発泡時点の発泡の様子を示しており、この時、ノズル１７内のインクが吐出インク２９としてノズル１７から盛り上がる。同図（ｂ）は最大発泡の気泡２８が消泡に転じ、インク流路１６に流れ込んだインクが発泡室１５に流れ込もうとしている時点の様子であり、この時、吐出インク２９はノズル内のインクから離れようと表面張力により細くなっており、またノズル内のインクの外気との界面（メニスカス）７０は消泡に伴い発泡室１５の方に引き込まれる。同図（ｃ）はさらに消泡が進んで発泡室１５にインクが流れ込んだ時点の様子であり、この時、インクは発泡室１５をインク流路１６の延長線方向から満たしていく一方、ノズル１７からもメニスカス７０の引き込まれによってインクが供給されるため、発泡２８はメニスカス７０から離れた位置に隔離される。同図（ｄ）は発泡２８が完全に消泡し、メニスカス７０がノズル１７に戻ろうとしている、一連の吐出サイクルの最終時点の様子を示しており、本発明のように発泡室１５を６００ＤＰＩで配置できるように略四角柱の形状とし、インク流路１６の中心線を発泡室１５ならびにヒータ１２の中心線からノズル配列方向にオフセットすることにより、発泡から消泡までの過程がスムーズに行われる。
【００３９】
本実施例のインクジェット記録ヘッドを用いて、高デューティで印刷した直後に横罫線を印字したところ、従来は吐出速度と吐出体積のばらつきが大きく、途切れ途切れに見えていた横罫線が、途切れの無いまっすぐな直線となっており、本発明の有効性が示された。
【００４０】
また、インクジェット記録ヘッドの製造工程の印字検査工程において、検査パターンを印字する前にベタ印字を行っている。従来のインクジェット記録ヘッドの印字検査工程の歩留まりは約９７％であったが、本実施例のインクジェット記録ヘッドを印字検査工程にかけたところ、歩留まりは９９％となり、ここでも本実施例の有効性が示された。
【実施例２】
【００４１】
図７は、本発明の第２の実施例を示した図面であり、実施例１のようにインク流路１６の中心線を発泡室１５ならびにヒータ１２の中心線からノズル配列方向にオフセットしたまま、ノズル位置を発泡室１５手前ないし奥方向にオフセットした形態を示している。
【００４２】
表１は、ノズル位置を−２〜６μｍまで、２μｍ刻みでオフセットした場合のベタ後の横罫線の印字結果を示している。表１を見ると、発泡室奥に２〜４μｍオフセットした場合に良好な結果が得られており、これは図６（ｃ）に示したように、気泡の残りが発泡室６５方向に少しずれていることが起因している。
【００４３】
以上のように、ここでも本発明の有効性が示された。
【００４４】
【表１】
2013158937.tif 000003
【実施例３】
【００４５】
本実施例では、図３の２ｐｌを吐出可能なノズル１８に本発明を適用した例を示す。図８において、図３〜図７と同じ符号の部位は同じものを表わしており、２４は発泡室２２にインクを供給するインク流路である。本実施例のヒータ２１はインク流入方向の発泡の対称性を向上させてサテライトをまっすぐ飛ばす目的で、ヒータ２１の位置は発泡室２２の奥にオフセットされているが、ノズル配列方向に対してはヒータ２１と発泡室２２の中心が一致している。また、フィルタ１４は、インク流路２４から発泡室２２へのインクの充填時間に問題がないため、従来どおりインク流路２４の中心線に対し左右対称に２個づつ配置している。本実施例では、発泡室２２は６００ＤＰＩで配置できるように略四角柱の形状とし、インク流路２４の中心線は発泡室２２ならびにヒータ２１の中心線からノズル配列方向に約４．５μｍオフセットした。
【００４６】
本実施例のインクジェット記録ヘッドを用いて、高デューティで印刷した直後に横罫線を印字したところ、途切れの無いまっすぐな直線となっており、本発明の有効性が示された。
【符号の説明】
【００４７】
12     ５ｐｌ吐出用のヒータ
13     共通液室
14     ５ｐｌ吐出の発泡室にゴミが入り込むのを防ぐフィルタ
15     ５ｐｌ吐出用の発泡室
16     ５ｐｌ吐出用のインク流路
17     ５ｐｌを吐出可能なノズル
18     ２ｐｌを吐出可能なノズル
19     フェイス面
20     梁
21     ２ｐｌ吐出用のヒータ
22     ２ｐｌ吐出用の発泡室
23     ２ｐｌ吐出の発泡室にゴミが入り込むのを防ぐフィルタ
24     ２ｐｌ吐出用のインク流路
28     発泡（気泡）
29     吐出インク
62     ヒータ
64     フィルタ
65     発泡室
66     インク流路
67     ノズル
68     発泡（気泡）
69     吐出インク
70     メニスカス
1001   ブラックカートリッジ
1002   ブラックカートリッジの電気配線基板
1003   ブラックカートリッジのガイド
1004   ブラックカートリッジの突き当て基準
1005   ブラックカートリッジの突き当て基準
1006   ブラックカートリッジのインクタンク
1007   ブラックカートリッジの電気接続部封止部
1008   ブラックカートリッジの記録素子
1009   ブラックカートリッジの端子
1010   ブラックカートリッジのタンク蓋
1011   ブラックカートリッジの記録素子基板が接合される部位
1013   ブラックカートリッジのデバイスホール
1014   ブラックカートリッジの負圧発生機構
1016   ブラックカートリッジの荷重をかける部位
1017   ブラックカートリッジの大気連通口
1018   ブラックカートリッジの細溝
1019   ブラックカートリッジのラベル
1020   ブラックカートリッジのピン
1040   ブラックカートリッジのインクろ過フィルタ
1101   カラーカートリッジ
1102   カラーカートリッジの電気配線基板
1103   カラーカートリッジのガイド
1104   カラーカートリッジの突き当て基準
1105   カラーカートリッジの突き当て基準
1106   カラーカートリッジのインクタンク
1107   カラーカートリッジの電気接続部封止部
1108   カラーカートリッジの記録素子
1110   カラーカートリッジのタンク蓋
【図１】
2013158937.tif 000004
【図２】
2013158937.tif 000005
【図３】
2013158937.tif 000006
【図４】
2013158937.tif 000007
【図５】
2013158937.tif 000008
【図６】
2013158937.tif 000009
【図７】
2013158937.tif 000010
【図８】
2013158937.tif 000011
【図９】
2013158937.tif 000012